(57)【要約】【課題】端子とクリップとが電気的に接続された状態を確実に維持できる端子台を提供する。【解決手段】端子ネジ（端子）３が複数配列された基部２を有する端子台１において、基部２に着脱可能であるとともに、導電体で形成された棒状の導電部材４がそれぞれ挿通可能な第１孔部５１ａおよび第２孔部５２ａが複数形成された導電部材支持部５を備え、導電部材支持部５は、基部２に装着されると、複数の第１孔部５１ａおよび第２孔部５２ａがそれぞれ端子ネジ３の頭部３１と対向し、第１孔部５１ａおよび第２孔部５２ａに挿通された導電部材４を、その下端部（一方の端部）４ａを端子ネジ３の頭部３１と当接させるとともに上端部（他方の端部）４ｂ側を第１孔部５１ａおよび第２孔部５２ａが端子ネジ３と対向している側と反対側に突出させるように支持可能に構成されている。【選択図】図１
2015213019.tif 000002
【特許請求の範囲】
【請求項１】
端子が複数配列された基部を有する端子台において、
前記基部に着脱可能であるとともに、導電体で形成された棒状の導電部材がそれぞれ挿通可能な孔部が複数形成された導電部材支持部を備え、
前記導電部材支持部は、前記基部に装着されると、複数の前記孔部がそれぞれ前記端子と対向し、前記孔部に挿通された前記導電部材を、その一方の端部を前記端子と当接させるとともに他方の端部側を前記孔部が前記端子と対向している側と反対側に突出させるように支持可能に構成されていることを特徴とする端子台。
【請求項２】
前記導電部材は、長ネジで構成され、前記孔部の内周面には、前記長ネジが螺合可能なネジ山が形成されていることを特徴とする請求項１に記載の端子台。
【請求項３】
前記導電部材は、他方の端部側の少なくとも一部が、断面形状が略長方形状に形成されていることを特徴とする請求項１又は２に記載の端子台。
【発明の詳細な説明】
【技術分野】
【０００１】
本発明は、電気機器の検査などにおいて用いられる端子台に関する。
【背景技術】
【０００２】
従来、機械の操作機構や配電盤などの電気機器の検査などおいて端子台が用いられている。端子台には、端子のネジが設けられていて、この端子にリード線を電気的に接続するように構成されている。
端子とリード線とを電気的に接続する際には、例えば、端子のネジの頭部をリード線が接続された鰐口クリップや蓑虫クリップ等のクリップで挟んだり、特許文献１に開示されているように、端子のネジの座金の側方に舌を設けて、この舌をクリップで挟んだりしている。
【先行技術文献】
【特許文献】
【０００３】
【特許文献１】特開２００６−３２４１５８号公報
【発明の概要】
【発明が解決しようとする課題】
【０００４】
しかしながら、端子のネジの頭部をクリップで挟む場合、頭部は丸く形成されているため、挟みにくく、クリップが頭部から外れてしまうことがある。また、端子のネジの座金に設けられた舌をクリップで挟む場合も、ネジの頭部を挟む場合に比べれば挟みやすいものの、クリップが舌から外れてしまう虞がある。
このように、クリップが端子のネジの頭部や座金から外れてしまうと、端子とクリップとが電気的に接続された状態を維持できず測定ミスが生じたり、外れたクリップが他の端子と当接して短絡が生じたりする虞がある。
また、端子のネジの座金に舌が設けられていると、検査を行わないときには、この舌が邪魔になる虞がある。
【０００５】
そこで本発明は、端子とクリップとが電気的に接続された状態を確実に維持できる端子台を提供することを目的とする。
【課題を解決するための手段】
【０００６】
上記目的を達成するため、本発明に係る端子台は、端子が複数配列された基部を有する端子台において、前記基部に着脱可能であるとともに、導電体で形成された導電部材がそれぞれ挿通可能な孔部が複数形成された導電部材支持部を備え、前記導電部材支持部は、前記基部に装着されると、複数の前記孔部がそれぞれ前記端子と対向し、前記孔部に挿通された前記導電部材を、その一方の端部を前記端子と当接させるとともに他方の端部側を前記孔部が前記端子と対向している側と反対側に突出させるように支持可能に構成されていることを特徴とする。
【０００７】
本発明では、導電部材支持部を基部に装着し、孔部に導電部材を挿通させて導電部材の一方の端部を端子と当接させて、導電部材の他方の端部をリード線が接続されたクリップで挟むことにより、クリップと端子とを電気的に接続させることができる。そして、クリップは、導電部材を挟む構成であるため、従来のように端子のネジの頭部などを挟む場合と比べて、挟みやすいとともに、外れることを防止できる。
【０００８】
また、本発明に係る端子台では、前記導電部材は、長ネジで構成され、前記孔部の内周面には、前記長ネジが螺合可能なネジ山が形成されていることが好ましい。
このような構成とすることにより、導電部材は導電部材支持部に固定された状態で端子と当接できるため、導電部材がぐらついて端子と離間することがなく、クリップと端子とを確実に電気的に接続させることができる。
また、クリップの導電部材と当接する部分に凹凸が形成されていて、この凹凸と長ネジのネジ山とがかみ合う場合は、クリップが長ネジから外れにくい構造とすることができる。
【０００９】
また、本発明に係る端子台では、前記導電部材は、他方の端部側の少なくとも一部が、断面形状が略長方形状に形成されていてもよい。
このような構成とすることにより、クリップが導電部材の断面形状が略長方形状の部分を挟みやすいとともに、クリップが導電部材から外れることを防止できる。
また、導電部材が長ネジの場合は、導電部材を導電部材支持部に着脱する際に、導電部材の断面形状が略長方形状の部分をつまんで回転させることができるため、導電部材を導電部材支持部に着脱しやすい。
【発明の効果】
【００１０】
本発明によれば、クリップと端子とを電気的に接続させることができるとともに、クリップが導電部材を挟みやすく、導電部材から外れることが防止されるため、端子とクリップとが電気的に接続された状態を確実に維持できる。
【図面の簡単な説明】
【００１１】
【図１】本発明の実施形態による端子台の一例を示す斜視図である。
【図２】図１の平面図である。
【図３】図２のＡ−Ａ線断面図である。
【図４】本実施形態の変形例による端子台の一例を示す斜視図である。
【発明を実施するための形態】
【００１２】
以下、本発明の実施形態による端子台について、図１乃至図３に基づいて説明する。
図１乃至３に示すように、本実施形態による端子台１は、基部２と、基部２に配列された複数の端子ネジ（端子）３と、導電体を材料として形成された棒状の導電部材４と、導電部材４を支持可能であるとともに基部２に着脱可能な導電部材支持部５と、基部２に着脱可能に構成され基部２に導電部材支持部５が装着されていない状態において基部２に装着されるカバー材６（図１参照）と、を備えている。
ここで、本実施形態では、図２に示すように、複数の端子ネジ３は、基部２に対して２行６列に配列されている。そして、２行の２つが並ぶ方向を縦方向とし、６列の６つが並ぶ方向を横方向とし、これらの縦方向および横方向を水平方向として、これらの方向に直交する方向を上下方向として以下説明する。
【００１３】
基部２は、樹脂などの絶縁体を材料として形成され、端子ネジ３が配列される基部本体２１と、基部本体２１の上面から上方に突出するように配列された複数の区画壁２２と、を有している。複数の区画壁２２は、その面が横方向を向くように配置され、横方向に所定の間隔をあけるように基部本体２１の上面に配列されている。
区画壁２２は、縦方向の長さが基部本体２１と略同じ長さに形成されていて、横方向に隣り合う端子ネジ３の間と、横方向の両端部に配置された端子ネジ３の側方にそれぞれ配置されている。本実施形態では、７つの区画壁２２が設けられている。
また、区画壁２２の上端部２２ａには、縦方向の両端部にそれぞれ切欠き部２３，２３（図１および２参照）が形成されている。
【００１４】
端子ネジ３は、導電体を材料として形成され、頭部３１と頭部３１と連結し先端部が平坦に形成された脚部（不図示）とを有する公知の構造のネジで構成されている。端子ネジ３は、脚部が基部本体２１に上側から挿入され、頭部３１が基部本体２１の上側に配置されている。そして、端子ネジ３の頭部３１と、基部本体２１との間には、受け板３２と座金３３とが介在していて、受け板３２と座金３３との間にリード線が接続されるように構成されている。
本実施形態では、縦方向に配列された２つの端子ネジ３，３は、電気的に接続されている。
【００１５】
導電部材支持部５は、横方向に連続して配列された５つの区画壁２２の上端部２２ａに渡されるように区画壁２２に着脱可能に構成された第１板部５１と、支持板部５１の上部に複数取り付けられた第２板部５２と、を有している。
【００１６】
第１板部５１は、樹脂などの絶縁体を材料として形成されていて、区画壁２２に取り付けられるとその面が略上下方向を向くように構成されている。
また、第１板部５１は、縦方向の寸法が区画壁２２の縦方向の寸法と略等しく形成され、縦方向の両端部に下側に略Ｃ字状に折り曲げられた挟持部５３，５３がそれぞれ形成されている。これらの２つの挟持部５３，５３の間隔は、区画壁２２の２つの切り込み２３，２３間の寸法よりもやや小さくなるように構成されている。
第１板部５１を区画壁２２に装着するには、第１板部５１の挟持部５３，５３の間に区画壁２２の上端部２２ａ近傍が入るように、第１板部５１を撓ませて挟持部５３，５３の間を広げ、挟持部５３，５３の間に区画壁２２の上端部２２ａ近傍が入ったら、第１板部５１を撓ませるのをやめて、挟持部５３，５３の間隔をもとに戻し、２つの挟持部５３，５３を区画壁２２の切り込み２３，２３と当接させるようにして、区画壁２２の上端部２２ａ近傍を挟持させる。これにより、第１板部５１が基部２（区画壁２２）に装着され、第１板部５１が基部２に対して移動しないように構成されている。
なお、第１板部５１を区画壁２２から取り外す場合も、第１板部５１を撓ませて挟持部５３，５３の間隔を広げて、区画壁２２から離間させる。
【００１７】
また、第１板部５１には、導電部材４が挿通可能な第１孔部５１ａが複数形成されている。本実施形態では、縦方向に２つずつ、横方向に４つずつの計８つの第１孔部５１ａが形成されている。そして、第１板部５１は、区画壁２２に取り付けられると、第１孔部５１ａの下側にそれぞれ端子ネジ３が配置されるように構成されている。
【００１８】
複数の第２板部５２は、それぞれ横方向の寸法が隣り合う区画壁２２の横方向の間隔よりもやや小さく形成され、縦方向の寸法が、基部本体２１の縦寸法よりもやや小さく形成されている。
第２板部５２には、縦方向に間隔をあけて２つの第２孔部５２ａ，５２ａが形成されていて、２つの第２孔部５２ａ，５２ａの軸間の寸法は、縦方向に隣り合う２つの端子ネジ３，３の軸間の寸法と略同じ寸法に設定されている。
そして、第２板部５２は、２つの第２孔部５２ａ，５２ａが、縦方向に配列された２つの第１孔部５１ａ，５１ａと重なるように第１板部５１の上に固定されている。なお、第２板部５２は、第１板部５１の挟持部５３，５３の間隔を広げるために第１板部５１が撓むことを阻止しないように構成されている。
本実施形態では、第２板部５２は、ステンレスなどの金属で形成されていて、第２孔部５２ａの内周面には、それぞれ導電部材４が螺合可能なネジ山が形成されている。
なお、第１孔部５１ａの内周面には、ネジ山が形成されていない。
【００１９】
導電部材４は、区画壁２２に取り付けられた導電部材支持部５の第１孔部５１ａおよび第２孔部５２ａに挿入され、下端部（一方の端部）４ａが端子ネジ３の頭部３１と当接した際に、上端部（他方の端部）４ｂ側が第２板部５２よりも上方に突出する長さに形成されている。
【００２０】
カバー材６は、樹脂などの絶縁体を材料として形成されていて、すべての区画壁２２の上端部２２ａに渡されるように区画壁２２に着脱可能に構成されている。カバー材６は、区画壁２２に装着されると、その面が略上下方向を向くように構成されている。
また、カバー材６は、導電部材支持部５の第１板部５１と同様に、縦方向の寸法が区画壁２２の縦方向の寸法と略等しく形成され、縦方向の両端部に下側に略Ｃ字状に折り曲げられた挟持部６１，６１がそれぞれ形成されている。カバー材６も第１板部５１と同様に、挟持部６１，６１が区画壁２２の上端部２２ａ近傍を挟持するように構成され、第１部材５１と同様に区画壁２２に着脱される。
このような端子台１は、電気設備の点検等を行う場合には基部２に導電部材支持部５が装着され、それ以外の通常時にはカバー材６が装着されている。
【００２１】
続いて、本実施形態による端子台１を使用した電気設備の点検方法について説明する。
ここでは、電気設備の接点のＯＮ／ＯＦＦのタイミングを点検し、端子台１の点検対象の端子ネジ３には、図示していないが、それぞれ電気設備のリード線が接続されているものとする。また、横方向に並んだ２つの端子ネジ３，３の間には、接点が接続されている。
まず、端子台１からカバー材６を取り外し、検査対象の端子ネジ３の上部に導電部材支持部５が配置されるように、導電部材支持部５を区画壁２２に装着する。
そして、検査対象の端子ネジ３の上部にある第１孔部５１ａおよび第２孔部５２ａにそれぞれ導電部材４を挿入し、導電部材４の下端部４ａを端子ネジ３の頭部３１と当接させて、端子ネジ３と導電部材４とを電気的に接続させる。このとき、第２孔部５２ａと螺合する導電部材４を締め付けると、導電部材支持部５が下側（基部２側）に押しつけられるため、導電部材支持部５が基部２に確実に装着された状態となる。
【００２２】
そして、第２板部５２よりも上方に突出している導電部材４の上端部４ｂ側を、リード線が接続されたクリップ１１（図１および図３参照）で挟んで点検を行う。
このとき、点検対象の横方向に並んだ２つの端子ネジ３，３のうち、一方の端子ネジ３を縦方向の一方側に配置された端子ネジ３とし、他方の端子ネジ３を縦方向の他方側に配置された端子ネジ３とすることで、これらの２つの端子ネジ３，３にそれぞれ電気的に接続される導電部材４，４が縦方向に離間することになる。このため、縦方向の同じ側の端子ネジ３，３にそれぞれ導電部材４，４が電気的に接続されている場合と比べて、それぞれの導電部材４，４を挟んでいるクリップ１１，１１どうしが接触する虞が少ない。
【００２３】
次に、上述した端子台１の作用・効果について図面を用いて説明する。
上述した本実施形態による端子台１では、導電部材支持部５を基部２に装着し、第１孔部５１ａおよび第２孔部５２ａに導電部材４を挿通させて導電部材４の下端部４ａを端子ネジ３の頭部３１と当接させた状態で、導電部材４の上端部４ｂ側をクリップ１１で挟むことにより、クリップ１１と端子ネジ３とを電気的に接続させることができる。そして、クリップ１１は、導電部材４を挟む構成であるため、従来のように端子ネジ３の頭部３１などを挟む場合と比べて、挟みやすいとともに、外れることが防止される。
そして、クリップ１１と端子ネジ３とを電気的に接続させることができるとともに、クリップ１１が導電部材４を挟みやすく、導電部材４から外れることが防止されるため、端子ネジ３とクリップ１１とが電気的に接続された状態を確実に維持できる。
【００２４】
また、第２孔部５２ａには、導電部材４が螺合可能なネジ山が形成されていることにより、導電部材支持部５に支持された導電部材４がぐらついて端子ネジ３と離間することがなく、導電部材４を挟んでいるクリップ１１と端子ネジ３とを確実に電気的に接続させることができる。  
【００２５】
以上、本発明による端子台の実施形態について説明したが、本発明は上記の実施形態に限定されるものではなく、その趣旨を逸脱しない範囲で適宜変更可能である。
例えば、上記の実施形態では、導電部材４は長ネジで構成されているが、長ネジに代わって、導電部材支持部５が支持可能で周囲にネジ山が形成されていない棒状の導電部材４としてもよい。この場合、第２孔部５２ａの内周面にネジ山が形成されていなくてもよい。
【００２６】
また、図４に示すように、導電部材４の上端部４ｂ側が、断面形状が略長方形状に形成されていてもよい。このようにすることにより、クリップ１１が導電部材４を挟みやすく、導電部材４を挟んでいるクリップ１１が導電部材４から外れることを防止できる。また、作業者がこの断面形状が略長方形状の部分をつまむことで、導電部材４を導電部材支持部５に着脱しやすい。また、導電部材４の上端部４ｂより下側にクリップ１１で挟む部分のみが断面形状が略長方形状に形成されていてもよい。
また、上記の実施形態では、基部２の上方に導電部材支持部５および導電部材４が配置されているが、基部２と導電部材支持部５および導電部材４の配置は適宜設定されてもよい。
【００２７】
また、上記の実施形態では、第１板部５１の上部に第２板部５２が設けられているが、例えば、第１孔部５１ａに導電部材５が螺合可能に構成されているなど、第１板部５１のみで導電部材５を支持可能な場合は、第２板部５２が設けられていなくてもよい。また、第２板部５２は、ステンレス以外の部材で形成されていてもよい。
また、上記の実施形態では、導電部材支持部５は、第１板部５１が区画壁２３を挟持するようにして基部２に取り付けられているが、例えば、区画壁２３に挟持されるように構成されているなど、他の機構によって基部２に取り付けられていてもよい。また、導電部材支持部５は、区画壁２２以外の基部２に着脱可能に構成されていてもよい。
また、上記の実施形態では、導電部材支持部５は、連続して配列された５つの区画壁２２の上端部２２ａにわたされるような形状に形成されているが、点検対象の端子ネジ３と当接するように導電部材４を支持可能であれば、これ以外の形状に形成されていてもよい。  また、端子ネジ３や区画壁２２の数は、適宜設定されてよい。
【符号の説明】
【００２８】
１  端子台
２  基部
３  端子ネジ
４  導電部材
４ａ  下端部（一方の端部）
４ｂ  上端部（他方の端部）
５  導電部材支持部
６  カバー材
１１  クリップ
２１  基部本体
２２  切欠き部
２３  区画壁
５１ａ  第１孔部（孔部）
５１ｂ  第２孔部（孔部）
【図１】
2015213019.tif 000003
【図２】
2015213019.tif 000004
【図３】
2015213019.tif 000005
【図４】
2015213019.tif 000006